(57)【要約】【課題】顔等を拭いたりする時に指を容易に挿入できて素早く使用することができ、また、眼鏡のレンズ等を拭いたりする時にレンズの両面を同時にスムーズに拭くことができる汚れ拭き取り具を提供することにある。【解決手段】所定形状に形成した２枚の汚れ拭き布地２を対峙させて、一部を開口した袋状に外周縁４を接合形成したものであって、前記片方の汚れ拭き布地２は開口端部側に切欠部５を有している構成にしてある。【選択図】  図４
0003103779.tif 000002
【実用新案登録請求の範囲】
【請求項１】
所定形状に形成した２枚の汚れ拭き布地を対峙させて、一部を開口した袋状に外周縁を接合形成したものであって、前記片方の汚れ拭き布地は開口端部側に切欠部を有していることを特徴とする汚れ拭き取り具。
【請求項２】
所定形状に形成した１枚の汚れ拭き布地の片面中央を境にしてその境の両側に、使用時に指を挿入できる係止部をそれぞれ設けたことを特徴とする汚れ拭き取り具。
【請求項３】
所定形状に形成した１枚の汚れ拭き布地の中央を境にして、この汚れ拭き布地の片面の前記境の両側に、各開口部が前記中央の境側を向いて対峙するように２枚の汚れ拭き小布地の外周縁をそれぞれ前記汚れ拭き布地に接合して、一対の袋状部を形成した
ことを特徴とする汚れ拭き取り具。
【請求項４】
所定形状に形成した１枚の汚れ拭き布地の中央を境にして、この汚れ拭き布地の片面の前記境の両側に、各開口部が前記中央の境側に対して所定方向を向くように、２枚の汚れ拭き小布地の外周縁をそれぞれ前記汚れ拭き布地に接合して、一対の袋状部を形成したことを特徴とする汚れ拭き取り具。
【請求項５】
汚れ拭き布地によって上部を開口し側部の繋がった一対の袋状汚れ拭きを形成したことを特徴とする汚れ拭き取り具。
【考案の詳細な説明】
【技術分野】
【０００１】
本考案は、顔など古い角質や毛穴の汚れを拭き取るのに使用したり、眼鏡のレンズの汚れを拭き取ったりするのに使用する汚れ拭き取り具に関するものである。
【背景技術】
【０００２】
従来、顔など古い角質や毛穴の汚れを拭き取る汚れ拭き取り具としては、例えば一部に片手の指を挿入できる開口部を形成できるようにして、２枚の所定形状の汚れ拭き布地を対峙させて外周縁を縫着して袋状に形成したものであった。
【考案の開示】
【考案が解決しようとする課題】
【０００３】
この従来の汚れ拭き取り具では、２枚の汚れ拭き布地が重なったような状態であるので、使用時に開口部から指を挿入する際、例えば他方の手で開口部の両側端を挟んで開口部を開け、もう一方の手の指を開いた開口部から挿入して片手に取り付けて使用しなければならず、人によっては指の挿入に手間がかかり煩わしいといった問題点があった。
【０００４】
また、従来のような単なる袋状の汚れ拭き取り具では、例えば眼鏡のレンズを磨いて汚れをとる場合に、眼鏡を一方の手で持ち、他方の手の指を挿入した汚れ拭き取り具をレンズの片面に当てて磨くことになり、不安定な状態でレンズを磨くことになり、効果的に磨くことが難しかった。また、短時間に効率良く効果的にレンズを磨くことは、従来の汚れ拭き取り具では難しかった。
【０００５】
本考案は前記のような現状に鑑みて開発されたものであり、その目的とするところは、あらゆる物の汚れ拭きに利用することができ、特に顔等を拭いたりする時に指を容易に挿入できて素早く使用することができ、または、眼鏡のレンズ等を拭いたりする時にレンズの両面を同時にスムーズに且つ隅々まで確実に拭くことが可能な汚れ拭き取り具を提供することにある。
【課題を解決するための手段】
【０００６】
請求項１記載の本考案の汚れ拭き取り具は、所定形状に形成した２枚の汚れ拭き布地を対峙させて、一部を開口した袋状に外周縁を接合形成したものであって、前記片方の汚れ拭き布地は開口端部側に切欠部を有していることを特徴とする構成である。
【０００７】
請求項２記載の本考案の汚れ拭き取り具は、所定形状に形成した１枚の汚れ拭き布地の片面中央を境にしてその境の両側に、使用時に指を挿入できる係止部をそれぞれ設けたことを特徴とする構成である。
【０００８】
請求項３記載の本考案の汚れ拭き取り具は、所定形状に形成した１枚の汚れ拭き布地の中央を境にして、この汚れ拭き布地の片面の前記境の両側に、各開口部が前記中央の境側を向いて対峙するように２枚の汚れ拭き小布地の外周縁をそれぞれ前記汚れ拭き布地に接合して、一対の袋状部を形成したことを特徴とする構成である。
【０００９】
請求項４記載の本考案の汚れ拭き取り具は、所定形状に形成した１枚の汚れ拭き布地の中央を境にして、この汚れ拭き布地の片面の前記境の両側に、各開口部が前記中央の境側に対して所定方向を向くように、２枚の汚れ拭き小布地の外周縁をそれぞれ前記汚れ拭き布地に接合して、一対の袋状部を形成したことを特徴とする構成である。
【００１０】
請求項５記載の本考案の汚れ拭き取り具は、汚れ拭き布地によって上部を開口し側部の繋がった一対の袋状汚れ拭きを形成したことを特徴とする構成である。
【考案の効果】
【００１１】
前記のような構成の本考案の汚れ拭き取り具では、使用時に開口から指を挿入する場合に、片方の汚れ拭き布地の開口端部側に切欠部を有しているので、この切欠部を利用して指を挿入することにより、複数本の指をスムーズに挿入して顔拭き等に使用することができる。また、両汚れ拭き布地の一方に切欠部を有しているので、切欠部が目印となって再度使用する場合に先にどちらの面を使用したか直ぐ判断できる。
【００１２】
また、本考案の汚れ拭き取り具では、二ツ折りして、両側の係止部、または袋状部、または袋状汚れ拭きに、それぞれ親指と他の指を挿入して使用することができ、例えば眼鏡のレンズを両面から挟むようにして磨くことができ、レンズと接する汚れ拭き布地に力が入って効果的に汚れを確実に且つ効率良く除去することができる。
【考案を実施するための最良の形態】
【００１３】
図１〜図４は本考案の第１例の汚れ拭き取り具１を示す図であって、この汚れ拭き取り具１は、図示の例では長方形状の一端側を略半円状に形成した２枚の汚れ拭き布地２を対峙させ、両汚れ拭き布地２の一端部３以外の外周縁４を縫着または貼着等によって接合し、前記一端部３側を開口した袋状のものであり、また、片側の汚れ拭き布地２の一端部３側(開口端部側)は山形状に窪んだように形成した切欠部５を有している。各汚れ拭き布地２はマイクロファイバー等の汚れの除去し易い柔らかい生地が使用されている。また、各汚れ拭き布地２の内面に別の裏地を設けてもよい。なお、前記した汚れ拭き布地の生地および裏地に関しては、以降の例の汚れ拭き取り具についても同様である。
【００１４】
この汚れ拭き取り具１では、使用する場合に片面側の切欠部５を利用して、この切欠部５から複数本の指を図２のように袋状の汚れ拭き取り具１内に挿入することにより、従来品のように使用時に重なり合った両汚れ拭き布地２の一端部３を両手を使って抉じ開けるようにして指を挿入しなくても、簡単に指を挿入でき、所望の片面の汚れ拭き布地２を図１のように顔に当てて肌を拭き取ることにより、スムーズに古い角質や毛穴の汚れを拭き取ることができる。
【００１５】
図５は本考案の第２例の汚れ拭き取り具６を示す図であって、この汚れ拭き取り具６は、前記の第１例と切欠部５の形状が異なる。この例の切欠部５は、全体を湾曲形状に形成してある。他の構成は前記の第１例と同様であり同一箇所に同一符合を付して説明を省略する。使用状態や効果は前記した第１例の汚れ拭き取り具１と同様である。
【００１６】
図６は本考案の第３例の汚れ拭き取り具７を示す図であって、この汚れ拭き取り具７は、前記の第１例、第２例と切欠部５の形状が異なる。この例の切欠部５は、全体を三角形状に形成してある。他の構成は前記の第１例と同様であり同一箇所に同一符合を付して説明を省略する。使用状態や効果は前記した第１例の汚れ拭き取り具１と同様である。
【００１７】
図７は本考案の第４例の汚れ拭き取り具７を示す図であって、この汚れ拭き取り具７は、前記の第１例〜第３例と切欠部５の形状が異なる。この例の切欠部５は、全体を台形状に形成してある。他の構成は前記の第１例と同様であり同一箇所に同一符合を付して説明を省略する。使用状態や効果は前記した第１例の汚れ拭き取り具１と同様である。
【００１８】
図８は本考案の第５例の汚れ拭き取り具９を示す図であって、長方形状に形成した１枚の汚れ拭き布地１０の片面中央を境１１にして、その境１１の両側に、使用時に指を挿入できる係止部１２をそれぞれ設けてある。この係止部１２は、帯状の布地等のシート材１３の中央部１４を前記境１１に配して境１１の両側に一定間隔をもって汚れ拭き布地１０に縫着または貼着し、さらに湾曲部１５を形成して両端部１６を汚れ拭き布地１０に縫着または貼着してある。
【００１９】
この例の汚れ拭き取り具９では、使用する場合は汚れ拭き布地１０を中央の境１１から二ツ折し、二ツ折した汚れ拭き布地１０の外側に位置する各両湾曲部１５内に片手の所望の指を挿入して、二ツ折した汚れ拭き布地１０でレンズ等の両面を挟むようにして磨く。このようにして使用することにより、二ツ折した汚れ拭き布地１０を介して各指の力がレンズ等の磨く箇所に伝わり、レンズ等の両面の汚れを同時に且つスムーズに除去することが可能になる。
【００２０】
図９、図１０は本考案の第６例の汚れ拭き取り具１７を示す図であって、この汚れ拭き取り具１７は、両端部を丸く形成した全体長方形状の１枚の汚れ拭き布地１８の中央を境１９にして、この汚れ拭き布地１８の片面の前記境１９の両側に、各開口部２０が前記中央の境１９側を向いて対峙するように２枚の汚れ拭き小布地２１の外周縁２２をそれぞれ前記汚れ拭き布地１８に縫着または貼着し、一対の袋状部２３を形成したものである。
【００２１】
この例の汚れ拭き取り具１７では、使用する場合に汚れ拭き布地１８を中央の境１９から開口部２０、２０が外側になるようにして二ツ折し、前記各開口部２０、２０から一方の袋状部２３に親指を入れ、もう一方の袋状部２３に他の指を入れ、二ツ折した汚れ拭き布地１８でレンズ等の両面を挟むようにして磨く。このようにして使用することにより前記した第５例と同様に二ツ折した汚れ拭き布地１８を介して各指の力がレンズ等の磨く箇所に伝わり、レンズ等の両面の汚れを同時に且つスムーズに除去することが可能になる。勿論、顔等の古い角質や毛穴の汚れを拭き取る場合も同様にして拭き取ることにより効果的に汚れ等を拭き取ることができる。
【００２２】
図１１、図１２は本考案の第７例の汚れ拭き取り具２４を示す図であって、この汚れ拭き取り具２４は、長方形状に形成した１枚の汚れ拭き布地２５の中央を境２６にして、この汚れ拭き布地２５の片面の前記境２６の両側に、各開口部２７が前記中央の境２６側に対して直角方向、すなわち汚れ拭き布地２５の長辺と平行となる方向を向くように、２枚の汚れ拭き小布地２１の外周縁２８をそれぞれ前記汚れ拭き布地２５に縫着または貼着して、一対の袋状部２９を形成したものである。勿論、前記した直角方向は、この例では境２６に対して９０°方向であるが、本考案のものにおいては所定角度、すなわち、９０°方向に限定されるものではなく、９０°より小さい角度または９０°より大きい角度の任意の角度であってよい。
【００２３】
この例の汚れ拭き取り具２４では、使用する場合は汚れ拭き布地２５を中央の境２６から開口部２７、２７が外側になるようにして屏風のように二ツ折し、前記各開口部２７、２７から一方の袋状部２９に親指を入れ、他の袋状部２９に他の指を入れ、二ツ折した汚れ拭き布地２５でレンズ等の両面を挟むようにして磨く。このようにして使用することにより前記した第６例と同様に二ツ折した汚れ拭き布地２５を介して各指の力がレンズ等の磨く箇所に伝わり、レンズ等の両面の汚れを同時に且つスムーズに除去することが可能になる。勿論、顔等の古い角質や毛穴の汚れを拭き取る場合も同様にして拭き取ることにより効果的に汚れ等を拭き取ることができる。
【００２４】
図１３、図１４は本考案の第８例の汚れ拭き取り具３０を示す図であって、この汚れ拭き取り具３０は、汚れ拭き布地によって上部を開口３１し側部３２の繋がった一対の袋状汚れ拭き３３を形成したものである。
【００２５】
この例の汚れ拭き取り具３０では、使用する場合は中央の繋がった側部３２を境に二ツ折し、各開口３１から一方の袋状汚れ拭き３３に親指を入れ、他の袋状汚れ拭き３３に他の指を入れ、各袋状汚れ拭き３３でレンズ等の両面を挟むようにして磨く。このようにして使用することにより前記した第７例と同様に二ツ折した各袋状汚れ拭き３３を介して各指の力がレンズ等の磨く箇所に伝わり、レンズ等の両面の汚れを同時に且つスムーズに除去することが可能になる。勿論、顔等の古い角質や毛穴の汚れを拭き取る場合も同様にして拭き取ることにより効果的に汚れ等を拭き取ることができる。
【００２６】
なお、本考案の汚れ拭き取り具において、各部の形状は図示の例の形状に限定されるものではなく、他の形状に設計変更したものであってもよい。したがって切欠部の形状も図示以外の形状であってもよい。勿論、切欠部は布地を切って形成したものに限らず、織った汚れ拭き布地が切り欠いたのと同様の形状を形成したものであってもよい。また、本考案に使用する布地の生地は、顔等の古い角質や毛穴の汚れを効果的に拭き取れたり、レンズやその他の物の汚れを効果的に拭き取れれば、如何なる素材であってもよい。さらに本考案における布地の接合は縫着、貼着に限らず溶着等、布地どうしを固着できれば如何なる接合であってもよい。また各布地は不織布であってもよい。
【図面の簡単な説明】
【００２７】
【図１】本考案の第１例の汚れ拭き取り具の一使用状態を示す説明図である。
【図２】本考案の第１例の汚れ拭き取り具を指に取り付けた一例の状態の説明図である。
【図３】本考案の第１例の汚れ拭き取り具の正面図である。
【図４】本考案の第１例の汚れ拭き取り具の背面図である。
【図５】本考案の第２例の汚れ拭き取り具の背面図である。
【図６】本考案の第３例の汚れ拭き取り具の背面図である。
【図７】本考案の第４例の汚れ拭き取り具の背面図である。
【図８】本考案の第５例の汚れ拭き取り具の斜視図である。
【図９】本考案の第６例の汚れ拭き取り具の背面図である。
【図１０】本考案の第６例の汚れ拭き取り具の使用時の説明図である。
【図１１】本考案の第７例の汚れ拭き取り具の背面図である。
【図１２】本考案の第７例の汚れ拭き取り具の使用時の説明図である。
【図１３】本考案の第８例の汚れ拭き取り具の背面図である。
【図１４】本考案の第８例の汚れ拭き取り具の使用時の説明図である。
【符号の説明】
【００２８】
１        汚れ拭き取り具
２        汚れ拭き布地
３        一端部
４        外周縁
５        切欠部
６        汚れ拭き取り具
７        汚れ拭き取り具
８        汚れ拭き取り具
９        汚れ拭き取り具
１０      汚れ拭き布地
１１      境
１２      係止部
１７      汚れ拭き取り具
１８      汚れ拭き布地
１９      境
２０      開口部
２１      汚れ拭き小布地
２２      外周縁
２３      袋状部
２４      汚れ拭き取り具
２５      汚れ拭き布地
２６      境
２７      開口部
２８      外周部
３０      汚れ拭き取り具
３１      開口
３２      側部
３３      袋状汚れ拭き
【図１】
0003103779.tif 000003
【図２】
0003103779.tif 000004
【図３】
0003103779.tif 000005
【図４】
0003103779.tif 000006
【図５】
0003103779.tif 000007
【図６】
0003103779.tif 000008
【図７】
0003103779.tif 000009
【図８】
0003103779.tif 000010
【図９】
0003103779.tif 000011
【図１０】
0003103779.tif 000012
【図１１】
0003103779.tif 000013
【図１２】
0003103779.tif 000014
【図１３】
0003103779.tif 000015
【図１４】
0003103779.tif 000016
【手続補正書】
【提出日】平成16年4月9日(2004.4.9)
【手続補正１】
【補正対象書類名】実用新案登録請求の範囲
【補正対象項目名】全文
【補正方法】変更
【補正の内容】
【実用新案登録請求の範囲】
【請求項１】
所定形状に形成した２枚の汚れ拭き布地を対峙させて、一部を開口した袋状に外周縁を接合形成したものであって、前記片方の汚れ拭き布地は開口端部側に切欠部を有していることを特徴とする汚れ拭き取り具。
【手続補正２】
【補正対象書類名】明細書
【補正対象項目名】全文
【補正方法】変更
【補正の内容】
【考案の詳細な説明】
【技術分野】
【０００１】
本考案は、顔など古い角質や毛穴の汚れを拭き取るのに使用したり、眼鏡のレンズの汚れを拭き取ったりするのに使用する汚れ拭き取り具に関するものである。
【背景技術】
【０００２】
従来、顔など古い角質や毛穴の汚れを拭き取る汚れ拭き取り具としては、例えば一部に片手の指を挿入できる開口部を形成できるようにして、２枚の所定形状の汚れ拭き布地を対峙させて外周縁を縫着して袋状に形成したものであった。
【考案の開示】
【考案が解決しようとする課題】
【０００３】
この従来の汚れ拭き取り具では、２枚の汚れ拭き布地が重なったような状態であるので、使用時に開口部から指を挿入する際、例えば他方の手で開口部の両側端を挟んで開口部を開け、もう一方の手の指を開いた開口部から挿入して片手に取り付けて使用しなければならず、人によっては指の挿入に手間がかかり煩わしいといった問題点があった。
【０００４】
また、従来のような単なる袋状の汚れ拭き取り具では、例えば眼鏡のレンズを磨いて汚れをとる場合に、眼鏡を一方の手で持ち、他方の手の指を挿入した汚れ拭き取り具をレンズの片面に当てて磨くことになり、不安定な状態でレンズを磨くことになり、効果的に磨くことが難しかった。また、短時間に効率良く効果的にレンズを磨くことは、従来の汚れ拭き取り具では難しかった。
【０００５】
本考案は前記のような現状に鑑みて開発されたものであり、その目的とするところは、あらゆる物の汚れ拭きに利用することができ、特に顔等を拭いたりする時に指を容易に挿入できて素早く使用することができる汚れ拭き取り具を提供することにある。
【課題を解決するための手段】
【０００６】
請求項１記載の本考案の汚れ拭き取り具は、所定形状に形成した２枚の汚れ拭き布地を対峙させて、一部を開口した袋状に外周縁を接合形成したものであって、前記片方の汚れ拭き布地は開口端部側に切欠部を有していることを特徴とする構成である。
【考案の効果】
【０００７】
前記のような構成の本考案の汚れ拭き取り具では、使用時に開口から指を挿入する場合に、片方の汚れ拭き布地の開口端部側に切欠部を有しているので、この切欠部を利用して指を挿入することにより、複数本の指をスムーズに挿入して顔拭き等に使用することができる。また、両汚れ拭き布地の一方に切欠部を有しているので、切欠部が目印となって再度使用する場合に先にどちらの面を使用したか直ぐ判断できる。
【考案を実施するための最良の形態】
【０００８】
図１〜図４は本考案の第１例の汚れ拭き取り具１を示す図であって、この汚れ拭き取り具１は、図示の例では長方形状の一端側を略半円状に形成した２枚の汚れ拭き布地２を対峙させ、両汚れ拭き布地２の一端部３以外の外周縁４を縫着または貼着等によって接合し、前記一端部３側を開口した袋状のものであり、また、片側の汚れ拭き布地２の一端部３側(開口端部側)は山形状に窪んだように形成した切欠部５を有している。各汚れ拭き布地２はマイクロファイバー等の汚れの除去し易い柔らかい生地が使用されている。また、各汚れ拭き布地２の内面に別の裏地を設けてもよい。なお、前記した汚れ拭き布地の生地および裏地に関しては、以降の例の汚れ拭き取り具についても同様である。
【０００９】
この汚れ拭き取り具１では、使用する場合に片面側の切欠部５を利用して、この切欠部５から複数本の指を図２のように袋状の汚れ拭き取り具１内に挿入することにより、従来品のように使用時に重なり合った両汚れ拭き布地２の一端部３を両手を使って抉じ開けるようにして指を挿入しなくても、簡単に指を挿入でき、所望の片面の汚れ拭き布地２を図１のように顔に当てて肌を拭き取ることにより、スムーズに古い角質や毛穴の汚れを拭き取ることができる。
【００１０】
図５は本考案の第２例の汚れ拭き取り具６を示す図であって、この汚れ拭き取り具６は、前記の第１例と切欠部５の形状が異なる。この例の切欠部５は、全体を湾曲形状に形成してある。他の構成は前記の第１例と同様であり同一箇所に同一符合を付して説明を省略する。使用状態や効果は前記した第１例の汚れ拭き取り具１と同様である。
【００１１】
図６は本考案の第３例の汚れ拭き取り具７を示す図であって、この汚れ拭き取り具７は、前記の第１例、第２例と切欠部５の形状が異なる。この例の切欠部５は、全体を三角形状に形成してある。他の構成は前記の第１例と同様であり同一箇所に同一符合を付して説明を省略する。使用状態や効果は前記した第１例の汚れ拭き取り具１と同様である。
【００１２】
図７は本考案の第４例の汚れ拭き取り具７を示す図であって、この汚れ拭き取り具７は、前記の第１例〜第３例と切欠部５の形状が異なる。この例の切欠部５は、全体を台形状に形成してある。他の構成は前記の第１例と同様であり同一箇所に同一符合を付して説明を省略する。使用状態や効果は前記した第１例の汚れ拭き取り具１と同様である。
【００１３】
図８は本考案に関連する汚れ拭き取り具９を示す図であって、長方形状に形成した１枚の汚れ拭き布地１０の片面中央を境１１にして、その境１１の両側に、使用時に指を挿入できる係止部１２をそれぞれ設けてある。この係止部１２は、帯状の布地等のシート材１３の中央部１４を前記境１１に配して境１１の両側に一定間隔をもって汚れ拭き布地１０に縫着または貼着し、さらに湾曲部１５を形成して両端部１６を汚れ拭き布地１０に縫着または貼着してある。
【００１４】
この例の汚れ拭き取り具９では、使用する場合は汚れ拭き布地１０を中央の境１１から二ツ折し、二ツ折した汚れ拭き布地１０の外側に位置する各両湾曲部１５内に片手の所望の指を挿入して、二ツ折した汚れ拭き布地１０でレンズ等の両面を挟むようにして磨く。このようにして使用することにより、二ツ折した汚れ拭き布地１０を介して各指の力がレンズ等の磨く箇所に伝わり、レンズ等の両面の汚れを同時に且つスムーズに除去することが可能になる。
【００１５】
図９、図１０は本考案に関連する汚れ拭き取り具１７を示す図であって、この汚れ拭き取り具１７は、両端部を丸く形成した全体長方形状の１枚の汚れ拭き布地１８の中央を境１９にして、この汚れ拭き布地１８の片面の前記境１９の両側に、各開口部２０が前記中央の境１９側を向いて対峙するように２枚の汚れ拭き小布地２１の外周縁２２をそれぞれ前記汚れ拭き布地１８に縫着または貼着し、一対の袋状部２３を形成したものである。
【００１６】
この例の汚れ拭き取り具１７では、使用する場合に汚れ拭き布地１８を中央の境１９から開口部２０、２０が外側になるようにして二ツ折し、前記各開口部２０、２０から一方の袋状部２３に親指を入れ、もう一方の袋状部２３に他の指を入れ、二ツ折した汚れ拭き布地１８でレンズ等の両面を挟むようにして磨く。このようにして使用することにより前記した第５例と同様に二ツ折した汚れ拭き布地１８を介して各指の力がレンズ等の磨く箇所に伝わり、レンズ等の両面の汚れを同時に且つスムーズに除去することが可能になる。勿論、顔等の古い角質や毛穴の汚れを拭き取る場合も同様にして拭き取ることにより効果的に汚れ等を拭き取ることができる。
【００１７】
図１１、図１２は本考案に関連する汚れ拭き取り具２４を示す図であって、この汚れ拭き取り具２４は、長方形状に形成した１枚の汚れ拭き布地２５の中央を境２６にして、この汚れ拭き布地２５の片面の前記境２６の両側に、各開口部２７が前記中央の境２６側に対して直角方向、すなわち汚れ拭き布地２５の長辺と平行となる方向を向くように、２枚の汚れ拭き小布地２１の外周縁２８をそれぞれ前記汚れ拭き布地２５に縫着または貼着して、一対の袋状部２９を形成したものである。勿論、前記した直角方向は、この例では境２６に対して９０°方向であるが、本考案のものにおいては所定角度、すなわち、９０°方向に限定されるものではなく、９０°より小さい角度または９０°より大きい角度の任意の角度であってよい。
【００１８】
この例の汚れ拭き取り具２４では、使用する場合は汚れ拭き布地２５を中央の境２６から開口部２７、２７が外側になるようにして屏風のように二ツ折し、前記各開口部２７、２７から一方の袋状部２９に親指を入れ、他の袋状部２９に他の指を入れ、二ツ折した汚れ拭き布地２５でレンズ等の両面を挟むようにして磨く。このようにして使用することにより前記した第６例と同様に二ツ折した汚れ拭き布地２５を介して各指の力がレンズ等の磨く箇所に伝わり、レンズ等の両面の汚れを同時に且つスムーズに除去することが可能になる。勿論、顔等の古い角質や毛穴の汚れを拭き取る場合も同様にして拭き取ることにより効果的に汚れ等を拭き取ることができる。
【００１９】
図１３、図１４は本考案に関連する汚れ拭き取り具３０を示す図であって、この汚れ拭き取り具３０は、汚れ拭き布地によって上部を開口３１し側部３２の繋がった一対の袋状汚れ拭き３３を形成したものである。
【００２０】
この例の汚れ拭き取り具３０では、使用する場合は中央の繋がった側部３２を境に二ツ折し、各開口３１から一方の袋状汚れ拭き３３に親指を入れ、他の袋状汚れ拭き３３に他の指を入れ、各袋状汚れ拭き３３でレンズ等の両面を挟むようにして磨く。このようにして使用することにより前記した第７例と同様に二ツ折した各袋状汚れ拭き３３を介して各指の力がレンズ等の磨く箇所に伝わり、レンズ等の両面の汚れを同時に且つスムーズに除去することが可能になる。勿論、顔等の古い角質や毛穴の汚れを拭き取る場合も同様にして拭き取ることにより効果的に汚れ等を拭き取ることができる。
【００２１】
なお、本考案の汚れ拭き取り具において、各部の形状は図示の例の形状に限定されるものではなく、他の形状に設計変更したものであってもよい。したがって切欠部の形状も図示以外の形状であってもよい。勿論、切欠部は布地を切って形成したものに限らず、織った汚れ拭き布地が切り欠いたのと同様の形状を形成したものであってもよい。また、本考案に使用する布地の生地は、顔等の古い角質や毛穴の汚れを効果的に拭き取れたり、レンズやその他の物の汚れを効果的に拭き取れれば、如何なる素材であってもよい。さらに本考案における布地の接合は縫着、貼着に限らず溶着等、布地どうしを固着できれば如何なる接合であってもよい。また各布地は不織布であってもよい。
【図面の簡単な説明】
【００２２】
【図１】本考案の第１例の汚れ拭き取り具の一使用状態を示す説明図である。
【図２】本考案の第１例の汚れ拭き取り具を指に取り付けた一例の状態の説明図である。
【図３】本考案の第１例の汚れ拭き取り具の正面図である。
【図４】本考案の第１例の汚れ拭き取り具の背面図である。
【図５】本考案の第２例の汚れ拭き取り具の背面図である。
【図６】本考案の第３例の汚れ拭き取り具の背面図である。
【図７】本考案の第４例の汚れ拭き取り具の背面図である。
【図８】本考案に関連する汚れ拭き取り具の斜視図である。
【図９】本考案に関連する汚れ拭き取り具の背面図である。
【図１０】本考案に関連する汚れ拭き取り具の使用時の説明図である。
【図１１】本考案に関連する汚れ拭き取り具の背面図である。
【図１２】本考案に関連する汚れ拭き取り具の使用時の説明図である。
【図１３】本考案に関連する汚れ拭き取り具の背面図である。
【図１４】本考案に関連する汚れ拭き取り具の使用時の説明図である。
【符号の説明】
【００２３】
１        汚れ拭き取り具
２        汚れ拭き布地
３        一端部
４        外周縁
５        切欠部
６        汚れ拭き取り具
７        汚れ拭き取り具
８        汚れ拭き取り具
９        汚れ拭き取り具
１０      汚れ拭き布地
１１      境
１２      係止部
１７      汚れ拭き取り具
１８      汚れ拭き布地
１９      境
２０      開口部
２１      汚れ拭き小布地
２２      外周縁
２３      袋状部
２４      汚れ拭き取り具
２５      汚れ拭き布地
２６      境
２７      開口部
２８      外周部
３０      汚れ拭き取り具
３１      開口
３２      側部
３３      袋状汚れ拭き